(57)【特許請求の範囲】
【請求項１】
受信信号に対しフィードフォワードタップ係数による演算を施して出力するフィードフォワード演算部と、
基準信号に対しフィードバックタップ係数による演算を施して出力するフィードバック演算部と、
前記フィードフォワード演算部が出力する信号と、前記フィードバック演算部が出力する信号と、を加算合計して出力する加算合計部と、を備え、
前記加算合計部が出力する信号を前記受信信号に対して等化処理を施した信号として出力する受信信号等化器において、
前記受信信号に含まれる参照信号が前記受信信号等化器に入力されているときは、前記参照信号に応じたタイミングで受信側参照信号を前記基準信号として出力し、
前記受信信号に含まれるデータ信号が前記受信信号等化器に入力されているときは、前記加算合計部が出力する信号に対してシンボル位置確定処理を施した信号を前記基準信号として出力する、信号選択部を備え、
前記フィードフォワード演算部は、
前記受信信号が入力される１つのフィードフォワード遅延器、または、初段に前記受信信号が入力される複数段のフィードフォワード遅延器と、
前記フィードフォワード遅延器に対応して設けられ、対応する前記フィードフォワード遅延器から出力された信号にフィードフォワードタップ係数を乗算し、乗算結果を出力するフィードフォワード乗算器と、を少なくとも備え、フィードフォワード乗算器の乗算結果を出力し、
前記フィードバック演算部は、
ｍを２以上の整数として、ｍ段のフィードバック遅延器を含み、初段のフィードバック遅延器に前記基準信号が入力される１つのフィードバック遅延器群、または、
それぞれがｍ段のフィードバック遅延器を含む複数段のフィードバック遅延器群であって、初段のフィードバック遅延器群に含まれる初段のフィードバック遅延器に前記基準信号が入力される複数段のフィードバック遅延器群と、
前記フィードバック遅延器群に対応して設けられ、対応する前記フィードバック遅延器群から出力された信号にフィードバックタップ係数を乗算し、乗算結果を出力するフィードバック乗算器と、を少なくとも備え、フィードバック乗算器の乗算結果を出力し、
前記受信信号等化器は、
前記加算合計部が出力する信号と、前記基準信号と、の差異を求め誤差信号として出力する誤差計算部と、
前記誤差信号、フィードフォワード乗算器によってフィードフォワードタップ係数が乗算される前の信号、および、フィードバック乗算器によってフィードバックタップ係数が乗算される前の信号に基づいて、フィードフォワードタップ係数およびフィードバックタップ係数を求めるタップ係数算出部と、を備え、
前記受信側参照信号は、
前記受信信号のシンボル時間間隔で参照値を有し、さらに、
シンボル周期のｍ分の１の時間間隔で２つの前記参照値の間を補間する補間参照値を有し、
前記フィードバック遅延器における遅延時間は、前記シンボル周期のｍ分の１倍であり、かつ、前記フィードフォワード遅延器における遅延時間の自然数倍であり、
前記タップ係数算出部は、
前記信号選択部から前記受信側参照信号が前記基準信号として出力されているときは、前記シンボル周期のｍ分の１の時間間隔でフィードフォワードタップ係数およびフィードバックタップ係数を求める、ことを特徴とする受信信号等化器。
【発明の詳細な説明】
【技術分野】
【０００１】
本発明は、受信信号の歪みを補償する等化器に関する。
【背景技術】
【０００２】
ディジタル変調信号を用いた無線通信システムが広く用いられている。無線通信システムが設けられる環境では、同一の送信装置から送信され、互いに特性が異なる伝搬路を経由した複数の無線信号が受信装置で受信される場合がある。このようなマルチパス環境下においては、受信装置では、ディジタル信号を良好に出力できないという問題が生ずる。また、受信装置または送信装置の少なくとも一方が移動通信端末装置である場合には、移動通信端末装置の移動に伴って伝搬路が変動し、この問題が特に顕著となる。
【０００３】
このような問題を回避するため、受信装置にはマルチパス環境に基づく受信信号の歪みを補償する適応等化器が用いられる。適応等化器は、送信装置から送信される所定のパターンで値が変化する参照信号を用いて受信信号の歪みを補償する。
【０００４】
適応等化器は、送信装置から送信される参照信号と照合するための受信側参照信号を予め記憶している。適応等化器では、受信側参照信号との誤差を小さくするように受信信号に等化処理を施して信号を出力する。受信装置では、適応等化器から出力された信号に基づいてディジタル信号を出力する。
【０００５】
適応等化器のこのような処理によれば、マルチパス環境下においても、受信信号からディジタル信号を良好に出力することができる。
【０００６】
【特許文献１】特許第２５０３７２６号
【特許文献２】特許第２５０３７１５号
【発明の開示】
【発明が解決しようとする課題】
【０００７】
参照信号は複数の参照値によって構成され、所定の時間間隔および所定のパターンで参照値が変化する信号である。ここで、参照信号に含まれる参照値の数が少ない場合、適応等化器によって受信信号の歪みを補償する処理が不完全となるおそれがある。そこで、参照信号に含まれる参照値を増加させることが考えられる。しかし、参照値の時間間隔は、無線通信システムが採用するディジタル変調方式によって定められている。そのため、参照信号に含まれる参照値の数を増加すると参照信号の時間長が長くなる。無線通信システムでは、予め定められた時間長の受信信号が受信装置に割り当てられている。したがって、参照信号の時間長が長くなると送信対象のデータを含むデータ信号の時間長が短くならざるを得ず、情報伝送容量が低下するという問題が生じる。
【０００８】
本発明は、このような課題に対してなされたものである。すなわち、時間長が短い参照信号によって受信信号の歪みを補償することが可能な受信信号等化器を提供することを目的とする。
【課題を解決するための手段】
【０００９】
本発明は、受信信号に対しフィードフォワードタップ係数による演算を施して出力するフィードフォワード演算部と、基準信号に対しフィードバックタップ係数による演算を施して出力するフィードバック演算部と、前記フィードフォワード演算部が出力する信号と、前記フィードバック演算部が出力する信号と、を加算合計して出力する加算合計部と、を備え、前記加算合計部が出力する信号を前記受信信号に対して等化処理を施した信号として出力する受信信号等化器において、前記受信信号に含まれる参照信号が前記受信信号等化器に入力されているときは、前記参照信号に応じたタイミングで受信側参照信号を前記基準信号として出力し、前記受信信号に含まれるデータ信号が前記受信信号等化器に入力されているときは、前記加算合計部が出力する信号に対してシンボル位置確定処理を施した信号を前記基準信号として出力する、信号選択部を備え、前記フィードフォワード演算部は、前記受信信号が入力される１つのフィードフォワード遅延器、または、初段に前記受信信号が入力される複数段のフィードフォワード遅延器と、前記フィードフォワード遅延器に対応して設けられ、対応する前記フィードフォワード遅延器から出力された信号にフィードフォワードタップ係数を乗算し、乗算結果を出力するフィードフォワード乗算器と、を少なくとも備え、フィードフォワード乗算器の乗算結果を出力し、前記フィードバック演算部は、ｍを２以上の整数として、ｍ段のフィードバック遅延器を含み、初段のフィードバック遅延器に前記基準信号が入力される１つのフィードバック遅延器群、または、それぞれがｍ段のフィードバック遅延器を含む複数段のフィードバック遅延器群であって、初段のフィードバック遅延器群に含まれる初段のフィードバック遅延器に前記基準信号が入力される複数段のフィードバック遅延器群と、前記フィードバック遅延器群に対応して設けられ、対応する前記フィードバック遅延器群から出力された信号にフィードバックタップ係数を乗算し、乗算結果を出力するフィードバック乗算器と、を少なくとも備え、フィードバック乗算器の乗算結果を出力し、前記受信信号等化器は、前記加算合計部が出力する信号と、前記基準信号と、の差異を求め誤差信号として出力する誤差計算部と、前記誤差信号、フィードフォワード乗算器によってフィードフォワードタップ係数が乗算される前の信号、および、フィードバック乗算器によってフィードバックタップ係数が乗算される前の信号に基づいて、フィードフォワードタップ係数およびフィードバックタップ係数を求めるタップ係数算出部と、を備え、前記受信側参照信号は、前記受信信号のシンボル時間間隔で参照値を有し、さらに、シンボル周期のｍ分の１の時間間隔で２つの前記参照値の間を補間する補間参照値を有し、前記フィードバック遅延器における遅延時間は、前記シンボル周期のｍ分の１倍であり、かつ、前記フィードフォワード遅延器における遅延時間の自然数倍であり、前記タップ係数算出部は、前記信号選択部から前記受信側参照信号が前記基準信号として出力されているときは、前記シンボル周期のｍ分の１の時間間隔でフィードフォワードタップ係数およびフィードバックタップ係数を求める、ことを特徴とする。
【発明の効果】
【００１０】
本発明によれば、時間長が短い参照信号によって受信信号の歪みを補償することができる。
【発明を実施するための最良の形態】
【００１１】
図１に本発明の実施形態に係る受信装置の構成を示す。受信装置は、無線信号受信部１０、Ａ／Ｄ変換器１２、低域通過フィルタ１４、バッファ１６、タイミング検出部２２、適応等化器１８、判定器２０で構成される。受信装置は、一つの送信装置から複数の受信装置に信号を送信することができる無線通信システムに用いられる。無線通信システムでは、ＱＰＳＫ、ＱＡＭ、ＭＳＫ、ＤＱＰＳＫ等の変調方式のディジタル変調信号が送受信される。
【００１２】
ディジタル変調信号は、ディジタル信号の値を搬送波の振幅または位相の変化に対応付けることによって変調が行われるものである。ディジタル信号の値が対応付けられたディジタル変調信号の振幅および位相の組をシンボルという。また、シンボルを搬送波の振幅または位相の変化に対応付ける時間間隔をシンボル周期という。
【００１３】
図２に受信装置で受信される信号に含まれるフレームＦｒの構成を示す。フレームＦｒの所定の時間位置には、フレーム同期検出等を行う参照信号Ｒｅｆが含まれ、参照信号Ｒｅｆの後には送信の対象となるデータ信号Ｄｔが含まれる。参照信号Ｒｅｆおよびデータ信号Ｄｔは、フレームＦｒ内における任意の時間位置に含ませることができる。
【００１４】
図３にＱＰＳＫ変調方式を採用した場合における参照信号の例を、同相成分信号Ｉおよび直交成分信号Ｑによって示す。同相成分信号Ｉおよび直交成分信号Ｑの各値を成分とするＩ−Ｑ平面上のベクトルとＩ軸とのなす角は、搬送波位相を基準としたときのディジタル変調信号の位相角を示す。
【００１５】
図３の同相成分信号Ｉは、シンボル周期Ｔｓごとに、１、１、−１、１、１、−１、−１、−１、１、および−１の値をとる。また、直交成分信号Ｑは、シンボル周期Ｔｓごとに、−１、１、−１、１、１、−１、１、１、１、および−１の値をとる。すなわち、例示する参照信号は１０シンボルから構成される。参照信号の同相成分信号Ｉおよび直交成分信号Ｑの各値は、任意に決定することができ、無線通信システムの設計段階において予め定められる。
【００１６】
次に、受信装置が無線信号を受信し、ディジタル信号を取得する処理について説明する。無線信号受信部１０は、送信装置から送信された無線信号を受信する。そして、受信した信号を同相成分信号Ｉおよび直交成分信号Ｑに分解し、それぞれ、Ａ／Ｄ変換器１２に出力する。Ａ／Ｄ変換器１２は、入力された信号を、同相成分信号Ｉを実数部とし直交成分信号Ｑを虚数部としたディジタル複素信号に変換する。そして、そのディジタル複素信号を複素受信信号Ｒ＝Ｉ＋ｊＱとして低域通過フィルタ１４に出力する。低域通過フィルタ１４は、複素受信信号Ｒに含まれる高域周波数帯の不要な信号を低減した複素受信信号ｙをバッファ１６に出力する。
【００１７】
バッファ１６は、所定の時間長の信号を記憶し当該時間長だけ信号を遅延させて適応等化器１８に出力する。タイミング検出部２２は、バッファ１６に記憶されている複素受信信号ｙに基づいて、参照信号が適応等化器１８に入力されるタイミングを示す参照タイミング信号を生成し、適応等化器１８に出力する。参照タイミング信号は、バッファ１６に記憶されている信号の時間波形と、参照信号の既知の時間波形との比較に基づいて生成することができる。
【００１８】
適応等化器１８は、参照タイミング信号が示すタイミングに従って複素受信信号ｙに対して処理を施し、判定器２０に出力する。判定器２０は適応等化器１８から出力された信号のシンボルを判定し、そのシンボルに対応するディジタル値をディジタル信号として出力する。
【００１９】
適応等化器１８は、マルチパス環境に基づく受信信号の歪みを補償する処理を実行する。ここでは、適応等化器１８の構成および適応等化器１８が実行する処理について説明する。
【００２０】
図４に適応等化器１８の構成を示す。適応等化器１８は、フィードフォワード遅延器２４−１〜２４−４、フィードフォワード乗算器２６−０〜２６−４、フィードバック遅延器２８−１〜２８−ｍ（ｍは２以上の自然数）、フィードバック乗算器３０、加算合計部３２、タップ係数算出部３４、受信側参照信号出力部３６、信号選択部３８、誤差計算部４０、および硬判定部４２を備えて構成される。
【００２１】
フィードフォワード遅延器２４−１〜２４−４、フィードフォワード乗算器２６−０〜２６−４および加算合計部３２は、フィードフォワード乗算器２６−０から信号が出力される時間を基準として、現在または未来の信号を合成する。また、フィードバック遅延器２８−１〜２８−ｍ、フィードバック乗算器３０、および加算合計部３２は、フィードフォワード乗算器２６−０から信号が出力される時間を基準として、過去の信号を合成する。
【００２２】
複素受信信号ｙは、タップ係数算出部３４、フィードフォワード遅延器２４−４およびフィードフォワード乗算器２６−４に入力される。フィードフォワード遅延器２４−４，２４−３，および２４−２は、信号を時間ＴＦだけ遅延させ、タップ係数算出部３４、後段のフィードフォワード遅延器および後段のフィードフォワード乗算器に出力する。フィードフォワード遅延器２４−１は、信号を時間ＴＦだけ遅延させ、タップ係数算出部３４およびフィードフォワード乗算器２６−０に出力する。ここで、フィードフォワード遅延器２４−１〜２４−４における遅延時間ＴＦは、複素受信信号ｙのシンボル周期Ｔｓのｎ分の１とする。ただし、ｎは２以上の自然数である。
【００２３】
フィードフォワード乗算器２６−４，２６−３，２６−２，２６−１、および２６−０は、それぞれ、タップ係数算出部３４で求められたフィードフォワードタップ係数の共役複素数Ｆ４*，Ｆ３*，Ｆ２*，Ｆ１*，およびＦ０*を、入力された信号に乗じて加算合計部３２に出力する。
【００２４】
信号選択部３８は、受信側参照信号出力部３６が出力する受信側参照信号または硬判定部４２が出力する硬判定信号のいずれかを選択し、基準信号ｓとしてフィードバック遅延器２８−１および誤差計算部４０に出力する。フィードバック遅延器２８−１〜２８−ｍ−１は、信号を時間ＴＢだけ遅延させ、後段のフィードバック遅延器に出力する。フィードバック遅延器２８−ｍは、信号を時間ＴＢだけ遅延させ、タップ係数算出部３４およびフィードバック乗算器３０に出力する。
【００２５】
ここで、フィードバック遅延器２８−１〜２８−ｍにおける遅延時間ＴＢは、複素受信信号ｙのシンボル周期Ｔｓの自然数ｍ分の１とする。また、上記自然数ｎは自然数ｍの自然数ｋ倍であるという関係が成立するものする。すなわち、遅延時間ＴＢは遅延時間ＴＦの自然数ｋ倍であり、ＴＢ＝Ｔｓ／ｍ、ｎ＝ｋ・ｍ、ＴＦ＝Ｔｓ／ｎ、ＴＢ＝ｋ・ＴＦの関係がある。
【００２６】
フィードバック乗算器３０は、タップ係数算出部３４で求められたフィードバックタップ係数Ｂ０の共役複素数Ｂ０*を、フィードバック遅延器２８−ｍから出力された信号に乗じて加算合計部３２に出力する。
【００２７】
加算合計部３２は、フィードフォワード乗算器２６−０〜２６−４およびフィードバック乗算器３０からそれぞれ出力された信号を加算合計し、加算合計信号ｚとして誤差計算部４０および硬判定部４２に出力する。
【００２８】
誤差計算部４０は、信号選択部３８から出力された基準信号ｓから加算合計信号ｚを減算した信号を求め、誤差信号ｅとしてタップ係数算出部３４に出力する。
【００２９】
受信側参照信号出力部３６は受信側参照信号を生成し信号選択部３８に出力する。ここで、受信側参照信号出力部３６が出力する受信側参照信号について説明する。図３に示した参照信号に対応する受信側参照信号の例を図５に示す。ここでは、ｍ＝２、すなわちフィードバック遅延器２８−１および２８−２の遅延時間ＴＢがシンボル周期Ｔｓの２分の１である例について示している。図３に示す参照信号は、シンボル周期Ｔｓごとに所定の参照値を有するものであるのに対し、受信側参照信号出力部３６が出力する受信側参照信号は、フィードバック遅延器の遅延時間ＴＢと同一の時間ごとに所定の値を有する。受信側参照信号のシンボル周期Ｔｓごとの参照値は、送信装置から送信される参照信号の参照値と同一であり、シンボル周期内の補間時間点には補間参照値が挿入される。図５では、シンボル周期Ｔｓごとの参照値を実線の白丸で示し、補間参照値を破線の白丸で示している。
【００３０】
この補間参照値は、送信装置から送信され受信装置で受信される信号に含まれる参照信号が補間時間点で示す値に基づいて、次のように定めることができる。
【００３１】
送信装置で生成された参照信号は、送信装置が備えるフィルタによってフィルタ処理が施され送信される。そして、受信装置においては、低域通過フィルタ１４によって処理が施され適応等化器１８に参照信号が入力される。送信装置が備えるフィルタの特性、低域通過フィルタ１４の特性は、無線通信システムの設計において予め定められている。したがって、送信装置で生成される参照信号が既知であれば、これらのフィルタの既知の特性に基づいて、適応等化器１８に入力される参照信号に対する補間参照値を定めることができる。
【００３２】
受信側参照信号出力部３６は、シンボル周期内の補間時間点が補間参照値によって補間された受信側参照信号を記憶する。そして、タイミング検出部２２から参照タイミング信号が出力されると共に、受信側参照信号を出力する。
【００３３】
なお、ここでは、フィードバック遅延器の遅延時間ＴＢがシンボル周期Ｔｓの２分の１である場合の受信側参照信号について説明した。より一般的には、フィードバック遅延器２８−１〜２８−ｍの遅延時間ＴＢがシンボル周期Ｔｓのｍ分の１である場合には、シンボル周期中にｍ−１個の補間参照値が時間間隔ＴＢで挿入される。
【００３４】
このような適応等化器１８の処理によれば、タップ係数算出部３４には、フィードフォワード乗算器２６−４，２６−３，２６−２，２６−１，２６−０およびフィードバック乗算器３０にそれぞれ入力され、タップ係数が乗ぜられる前の信号ｕ４，ｕ３，ｕ２，ｕ１，ｕ０，およびｖ０を成分とする信号ベクトルＵ＝（ｕ４，ｕ３，ｕ２，ｕ１，ｕ０，ｖ０）、および誤差信号ｅが入力される。
【００３５】
タップ係数算出部３４は、信号ベクトルＵおよび誤差信号ｅに基づいて、フィードフォワードタップ係数Ｆ４〜Ｆ０およびフィードバックタップ係数Ｂ０を求める。タップ係数を求めるアルゴリズムとしては、ＬＭＳアルゴリズム、ＲＬＳアルゴリズム等が好適である。適応等化器１８では、参照信号に対してはフィードバック遅延器２８−１〜２８−ｍの遅延時間ＴＢごとにアルゴリズムの１ステップを実行する。また、データ信号に対してはシンボル周期Ｔｓごとにアルゴリズムの１ステップを実行する。ここでは、ＲＬＳアルゴリズムの例について説明する。
【００３６】
第ｉ番目の計算ステップにおいて算出されるフィードフォワードタップ係数Ｆ４〜Ｆ０およびフィードバックタップ係数Ｂ０は、これらを成分とするタップ係数ベクトルＷ＝（Ｆ４，Ｆ３，Ｆ２，Ｆ１，Ｆ０，Ｂ０）によって次の（数１）のように表される。ただし、ｉは１以上の整数である。
（数１）  Ｗ（ｉ）＝Ｗ（ｉ−１）＋Ｋ（ｉ）ｅ*（ｉ）
【００３７】
ここで、右上付きの＊は共役複素数をとることを意味する。ベクトルＫは次の（数２）および（数３）に基づいて、行列Ｐを介在させて求められるベクトルである。
（数２）  Ｐ（ｉ）＝（Ｐ（ｉ−１）−Ｋ（ｉ）ＵH（ｉ）Ｐ（ｉ−１））／λ
（数３）  Ｋ（ｉ）＝Ｐ（ｉ−１）Ｕ（ｉ）／（λ＋ＵH（ｉ）Ｐ（ｉ−１）Ｕ（ｉ））
【００３８】
ここで、右上付きのＨはベクトルを転置し共役複素数をとることを意味する。また、λは、先の計算ステップで求められたタップ係数ベクトルＷの値を、現計算ステップにどれだけ寄与させるかを示す忘却係数である。初期値行列Ｐ（０）としてＰ（０）＝δ-1Ｉ（δ-1は任意の初期値、Ｉは単位行列）を決定することにより、１計算ステップごとにタップ係数ベクトルＷを求めることができる。
【００３９】
次に、適応等化器１８が複素受信信号ｙに対して施す処理について説明する。参照タイミング信号がタイミング検出部２２から出力されると、受信側参照信号出力部３６は受信側参照信号を出力する。さらに、信号選択部３８は基準信号ｓとして受信側参照信号が出力する信号を選択して出力する。
【００４０】
タップ係数算出部３４は、上記のアルゴリズムに従い、タップ係数ベクトルＷ＝（Ｆ４，Ｆ３，Ｆ２，Ｆ１，Ｆ０，Ｂ０）を時間ＴＢごとに求める。そして、フィードフォワードタップ係数Ｆ４〜Ｆ０の共役複素数Ｆ４*〜Ｆ０*をフィードフォワード乗算器２６−４〜２６−０にそれぞれ出力し、フィードバックタップ係数Ｂ０の共役複素数Ｂ０*をフィードバック乗算器３０に出力する。
【００４１】
参照信号の入力が開始した後、参照信号の時間長に相当する時間が経過するまでの間、タップ係数算出部３４は、受信側参照信号を基準信号ｓとしたアルゴリズムに基づいて、タップ係数ベクトルＷを更新する。
【００４２】
このとき、アルゴリズムを実行する時間間隔ＴＢは、フィードバック遅延器２８−１〜２８−ｍの遅延時間ＴＢと同一である。したがって、アルゴリズムが１回実行されるごとに受信側参照信号の１個の値がフィードバック乗算器３０に出力される。すなわち、受信側参照信号が時間間隔ＴＢごとに値を有することにより、アルゴリズムを時間間隔ＴＢで実行することで受信側参照信号に含まれる値を漏れなくアルゴリズムに反映させることができる。
【００４３】
フィードフォワード遅延器２４−１〜２４−４の遅延時間ＴＦがシンボル周期Ｔｓの２分の１であり、図５に示す受信側参照信号が出力されている場合、すなわち、ｎ＝ｍ＝２かつｋ＝１の場合について説明する。この場合、フィードフォワード遅延器２４−１〜２４−４の遅延時間ＴＦとフィードバック遅延器２８−１〜２８−ｍの遅延時間ＴＢは一致し、その時間はシンボル周期Ｔｓの２分の１である。タップ係数算出部３４は、タップ係数ベクトルＷを求めるアルゴリズムの１ステップを時間Ｔｓ／２ごとに実行する。これによって、受信側参照信号がシンボル周期Ｔｓごとに有する１０個の参照値と９個の補間参照値、すなわち、受信側参照信号に含まれる１９個の値によって、１９回のステップが実行され、各ステップにおいてタップ係数ベクトルＷの値が更新される。
【００４４】
本実施形態に係る適応等化器１８では、参照信号が適応等化器１８に入力されている間は、受信側参照信号を基準信号ｓとしたアルゴリズムに基づいて、タップ係数ベクトルＷが時間ＴＢごとに求められる。上述のように、受信側参照信号は、シンボル周期内の補間時間点が補間参照値によって補間された信号である。
【００４５】
従来の適応等化器１８で用いられていた受信側参照信号は、図７に示されるように、送信される参照信号と同一の参照値をシンボル周期ごとに有し、補間参照値を有さないものであった。したがって、従来の受信側参照信号を用いた場合、参照信号が適応等化器１８に入力されている間は、受信側参照信号がシンボル周期ごとに有する１０個の値に基づいて、タップ係数ベクトルが１０回にわたって更新されることとなる。
【００４６】
本実施形態における受信側参照信号は、シンボル周期の補間時間点が補間参照値によって補間されている。そのため、受信側参照信号の時間長が一定であるという条件の下、補間された値の数だけタップ係数ベクトルＷの更新回数を増加させることができる。例えば、フィードバック遅延器２８−１〜２８−ｍの遅延時間ＴＢがシンボル周期Ｔｓの２分の１であり、図５に示す受信側参照信号が出力されている上記の例では、補間参照値が９個であるため、従来の受信側参照信号を用いた場合に比して９回だけアルゴリズムのステップ回数を増加させることができる。これによって、従来と同一の時間長の参照信号によって、タップ係数ベクトルＷの更新をより多くの回数にわたって行うことができ、迅速にタップ係数ベクトルの値を収束させることができる。したがって、受信信号の歪みを補償する処理を迅速に行うことができる。
【００４７】
次に、適応等化器１８がデータ信号に対して施す処理について説明する。参照タイミング信号が出力されてから参照信号の時間長に相当する時間が経過すると共に、信号選択部３８は、硬判定信号を基準信号ｓとして選択して出力する。
【００４８】
ここで、硬判定部４２が実行する処理について説明する。硬判定部４２は、加算合計部３２が出力する加算合計信号ｚの値を下記のシンボル位置確定処理によって修正し、硬判定信号として信号選択部３８に出力する。
【００４９】
シンボル位置確定処理は、処理対象信号が示すＩ−Ｑ平面上での位置を、無線通信システムで予め定められているシンボルの位置のうち最も近傍のものに修正して出力する処理である。例えば、ＱＰＳＫ変調方式で定められているシンボルは、Ｉ−Ｑ平面上で（Ｉ，Ｑ）＝（１，１）、（−１，１）、（−１，−１）、または（１，−１）の位置をとり得る。この場合、硬判定部４２は、加算合計信号ｚが第１象限内、第２象限内、第３象限内または第４象限内の位置を示す場合には、それぞれ、（１，１）、（−１，１）、（−１，−１）、または（１，−１）の位置を示すよう加算合計信号ｚの値を修正し、硬判定信号として出力する。シンボル位置確定処理によれば、加算合計信号ｚに含まれる誤差成分を取り除くことができる。
【００５０】
タップ係数算出部３４は、タップ係数ベクトルを求めるアルゴリズムに従い、タップ係数ベクトルＷ＝（Ｆ４，Ｆ３，Ｆ２，Ｆ１，Ｆ０，Ｂ０）をシンボル周期Ｔｓごとに求め、フィードフォワードタップ係数Ｆ４〜Ｆ０の共役複素数Ｆ４*〜Ｆ０*をフィードフォワード乗算器２６−４〜２６−０に、フィードバックタップ係数Ｂ０の共役複素数Ｂ０*をフィードバック乗算器３０にそれぞれ出力する。
【００５１】
このような処理によれば、バッファ１６から適応等化器１８への参照信号の入力が終了し、データ信号の入力が開始された後は、硬判定信号を基準信号ｓとしたアルゴリズムに基づいて、タップ係数ベクトルＷが求められる。そして、そのタップ係数ベクトルＷに基づいて求められた加算合計信号ｚが判定器２０に出力される。これによって、参照信号が適応等化器１８に入力されている間に収束したタップ係数ベクトルＷの値を初期値として、データ信号受信時の伝搬路の変動に追従させたタップ係数ベクトルＷを求めることができる。
【００５２】
なお、上記では、５個のフィードフォワード乗算器、４個のフィードフォワード遅延器、１個のフィードバック乗算器、およびｍ個のフィードバック遅延器を備えた適応等化器１８について説明した。この構成を応用し、処理の段数を増加させた構成とすることもできる。図６にＮ個のフィードフォワード乗算器、Ｎ−１個のフィードフォワード遅延器、Ｍ個のフィードバック乗算器、およびＭ・（ｍ−１）個のフィードバック遅延器を備えた適応等化器１８を示す（Ｎは２以上の自然数、Ｍは自然数である。）。図４の適応等化器と同一の構成部については同一の符号を付する。フィードフォワード乗算器には「２６−」の符号の後に段数を示す番号を付する。フィードフォワード遅延器には「２４−」の符号の後に段数を示す番号を付する。フィードバック乗算器には「３０−」の符号の後に段数を示す番号を付する。フィードバック遅延器には「２８−１−」〜「２８−ｍ−」の各符号の後に段数を示す番号を付する。互いに隣接する２つのフィードバック乗算器の間には、ｍ個のフィードバック遅延器が挟まれる構成となる。
【００５３】
この場合、タップ係数算出部３４は、タップ係数ベクトルとしてＷ＝（ＦＮ−１，ＦＮ−２，・・・，Ｆ０，Ｂ０，・・・，ＢＭ−１）を求める。タップ係数Ｆ０〜ＦＮ−１の共役複素数Ｆ０*〜ＦＮ−１*は、それぞれ、フォードフォワード乗算器２６−０〜２６−Ｎ−１に出力される。また、タップ係数Ｂ０〜ＢＭ−１の共役複素数Ｂ０*〜ＢＭ−１*は、それぞれ、フィードバック乗算器３０−０〜３０−Ｍ−１に出力される。処理の段数を増加させることで、受信信号の歪みを補償する効果を高めることができる。また、処理の段数を増加させ、受信側参照信号を補間する補間参照値の数を増加させることで、同一の時間長の参照信号によって、タップ係数ベクトルＷの更新をより多くの回数にわたって行うことができ、迅速にタップ係数ベクトルの値を収束させることができる。
【００５４】
本発明の実施形態に係る受信装置は、都道府県・市町村ディジタル移動通信システムに用いることが好適である。都道府県・市町村ディジタル移動通信システムの規格としては、例えば、ＡＲＩＢ  ＳＴＤ−Ｔ７９  ２．０版が定められている。この移動通信システムでは、互いに通信可能な複数の基地局装置がそれぞれ通信セルを形成する。セル内の移動通信端末装置は、セル内の基地局との間で通信を行う。移動通信端末装置は、自らが存在するセル内の基地局を介して、同一セル内または他のセル内に存在する他の移動通信端末装置との間で通信を行うことができる。また、各基地局は通信端末としての機能をも有する。したがって、移動通信端末を操作する者と基地局を操作する者との間でコミュニケーションを図ることも可能である。
【図面の簡単な説明】
【００５５】
【図１】本発明の実施形態に係る受信装置の構成を示す図である。
【図２】本発明の実施形態に係る受信装置で受信される信号の構成を示す図である。
【図３】ＱＰＳＫ変調方式を採用した場合における参照信号の例を示す図である。
【図４】本発明の実施形態に係る適応等化器の構成を示す図である。
【図５】本発明の実施形態に係る受信側参照信号の例を示す図である。
【図６】処理の段数を任意とした適応等化器の構成を示す図である。
【図７】従来の受信側参照信号を示す図である。
【符号の説明】
【００５６】
１０  無線信号受信部、１２  Ａ／Ｄ変換器、１４  低域通過フィルタ、１６  バッファ、１８  適応等化器、２０  判定器、２２  タイミング検出部、２４−１〜２４−４  フィードフォワード遅延器、２６−０〜２６−４  フィードフォワード乗算器、２８−１〜２８−ｍ  フィードバック遅延器、３０  フィードバック乗算器、３２  加算合計部、３４  タップ係数算出部、３６  受信側参照信号出力部、３８  信号選択部、４０  誤差計算部、４２  硬判定部。
【図１】
0004966121.tif 000002
【図２】
0004966121.tif 000003
【図３】
0004966121.tif 000004
【図４】
0004966121.tif 000005
【図５】
0004966121.tif 000006
【図６】
0004966121.tif 000007
【図７】
0004966121.tif 000008